(57)【要約】【課題】作業時、運搬時、或いは不使用時に設置スペースを削減可能で、放熱特性を具備したトンネル用ＬＥＤ照明器具を提供する。【解決手段】基台１０２と、基台１０２の一方面に取付けられた照明部１０３と、基台１０２の他方面に取付けられたステイ部材１０６ａ，１０６ｂを介して起立状態と倒伏状態に回動可能に取付けられた一対の脚部１０４ａ，１０４ｂと、基台１０２内に外部商用電源を直流電流へ変換するコンバータを具備した電源装置を備え、前記ステイ部材１０６ａ，１０６ｂに前記一対の脚部１０４ａ，１０４ｂの回動が起立状態に規制される回動規制部を設け、自立可能とし、また、放熱部材１０５を基台１０２に取付けた。【選択図】        図２
0003204490.tif 000002
【実用新案登録請求の範囲】
【請求項１】
車両が通行するトンネル内を照明するトンネル用照明装置であって、基台と、基台の一方面に取付けられた照明部と、基台の他方面に取付けられたステイ部材を介して起立状態と倒伏状態に回動可能に取付けられた一対の脚部と、基台内に外部商用電源を直流電流へ変換するコンバータを具備した電源装置を備え、前記ステイ部材に前記一対の脚部の回動が起立状態に規制される回動規制部が設けられ、一対の脚部を起立状態とすることで自立可能に構成してあることを特徴とするトンネル用ＬＥＤ照明器具。
【請求項２】
前記基台に、放熱部材が取り付けられていることを特徴とする請求項１に記載のトンネル用ＬＥＤ照明器具。
【考案の詳細な説明】
【技術分野】
【０００１】
本考案は、車両が通行するトンネルなどに設置されるＬＥＤチップを使用した照明器具に関し、とくに運搬時や不使用時に積み重ね可能なトンネル用ＬＥＤ照明器具に関するものである。
【背景技術】
【０００２】
近年、ＬＥＤを使用した照明器具が広く採用されている。とくにトンネルなどに使用される照明器具は、高輝度ＬＥＤチップが搭載され、必要とされる照度を確保されている。
【０００３】
とくに、高速道路や一般道路等の車両が通行するトンネル内では、多数のトンネル用照明器具が使用され、24時間常時点灯している。そのため、照明器具の劣化が激しく、照明器具の交換作業やメンテナンスを行う機会が多く、その作業は、多大の時間と経費が掛かるものであった。
【０００４】
そこで本発明者らは、トンネル用照明器具や街灯用照明器具として、ＬＥＤチップを使用して長期間の使用が可能となる照明器具を提案している（特許文献１参照。）。
【０００５】
また、ＬＥＤチップに生じる熱を既存の照明器具の筐体を介して効果的に放熱させたトンネル用ＬＥＤ照明も先に提案している（特許文献２参照。）。
【先行技術文献】
【特許文献】
【０００６】
【特許文献１】特開２０１１−１３８６４０号公報
【特許文献２】実用新案登録第３１７７２７８号公報
【考案の概要】
【考案が解決しようとする課題】
【０００７】
しかしながら、上記特許文献１及び２に記載の照明器具は、設置する際にあらかじめ道路上や通路上などの床面に照明器具を平置きして作業を行うため、設置スペースを確保しなければならないという問題があった。とくにトンネルでの照明設置作業は、安全のために走行車線を規制し作業を行うため、作業スペースが限られており、作業時に大量の照明器具を床面に設置することは、限られた作業スペースがさらに狭くなり作業効率が低下すること、作業にあまり時間がかけられないということが現実問題としてあった。また、トラック等に積み込む際にも、積載数に制限を生じるほか、倉庫等に仮収納するような場合にもスペース上の問題が生じていた。
【０００８】
上記の問題点に鑑み本考案者らは、作業時、運搬時、或いは不使用時に設置スペースを削減可能で、放熱特性を具備したトンネル用ＬＥＤ照明器具を提供するに至った。
【課題を解決するための手段】
【０００９】
本考案のトンネル用ＬＥＤ照明器具は、車両が通行するトンネル内を照明するトンネル用照明装置であって、基台と、基台の一方面に取付けられた照明部と、基台の他方面に取付けられたステイ部材を介して起立状態と倒伏状態に回動可能に取付けられた一対の脚部と、基台内に外部商用電源を直流電流へ変換するコンバータを具備した電源装置を備え、前記ステイ部材に前記一対の脚部の回動が起立状態に規制される回動規制部が設けられ、一対の脚部を起立状態とすることで自立可能に構成してあることを第一の特徴とする。
【００１０】
また、前記照明部の外周が、前記一対の脚部の脚底部間に嵌合されるよう形成され、積み重ね可能に構成されていることを第二の特徴とする。
【考案の効果】
【００１１】
本考案のトンネル用ＬＥＤ照明器具は、以下の優れた効果を有する。
（１）自立可能に構成され、地面や床面に照明部や基台部が当接することがないため、これらに擦り傷等が付くことを防止することができる。
（２）トンネル用照明器具同士で積み重ね可能とされているため、トンネル用ＬＥＤ照明器具の交換作業の際に、作業スペースを有効に利用することが可能となる。
（３）脚部を起立状態に回動させるだけで、自立可能な状態、かつ積み重ね可能な状態となるので、積み重ね作業が簡易に行うことができ、作業性に優れる。
（４）放熱部を備えているため、発光に伴う発熱による劣化を防止し、トンネル用照明器具を長期間使用することができるという効果を有する。
【図面の簡単な説明】
【００１２】
【図１】本考案に係るトンネル用ＬＥＤ照明器具の脚部が直立した状態を示す平面図である。
【図２】図１の側面図である。
【図３】本考案に係るトンネル用ＬＥＤ照明器具の脚部の起立状態と倒伏状態を説明する斜視図で、（ａ）が放熱部材を省略した斜視図、（ｂ）が放熱部材を図示した斜視図である。
【図４】本考案に係るトンネル用ＬＥＤ照明器具を積み重ねた状態を示す側面図である。
【考案を実施するための形態】
【００１３】
以下、本考案を、実施例を示す図面を参照しながら説明するが、本考案が本実施例に限定されないことは言うまでもない。
【実施例】
【００１４】
図１、及び図２に示すように、本考案のトンネル用ＬＥＤ照明器具１００は、基台１０２に設けられた照明部１０３と、基台１０２の照明部１０３が設けられた面とは異なる面にステイ部材１０６ａ，１０６ｂを介して設けられた脚部１０４ａ，１０４ｂと、複数の放熱部材１０５から構成されている。照明部１０３は、光源となる複数のＬＥＤチップ１０３ａと、これら複数のＬＥＤチップ１０３ａが列状に表面へ実装された金属基板１０３ｂと、これらを覆う透光性の蓋体１０３ｃから構成されており、基台１０２に固設されている。金属基板１０３ｂは、アルミダイカストあるいはアルミ鋳物等の熱伝導性の高い金属板が使用され、その表面に電気絶縁層を介して回路（図示せず）が形成されている。そしてこの回路の所定位置に複数のＬＥＤチップ２が実装されている。蓋体１０３ｃは、透光性を有する蓋体で、例えば強化ガラス等の透明板から形成されている。
【００１５】
基台１０２は、熱伝導性に優れたアルミダイカストあるいはアルミ鋳物をプレス加工によって中空台状に折り曲げ成型されて六角柱状に構成したものである。基台１０２内には、外部商用電源を直流電流へ変換するコンバータを具備した電源装置（図示せず）などが内蔵され、商用電源と接続してＬＥＤチップ１０３ａを発光させる。図１に示すように、アイボルト金具１０２ａが具備されており、トンネル内面からワイヤー等を介して本考案のトンネル用ＬＥＤ照明器具１００を吊り下げることが可能となる。
【００１６】
アルミダイカストあるいはアルミ鋳物をプレス加工によってコの字状に折り曲げ成型された金属片からされた放熱部材１０５が、倒立させた状態（コの字の開放された側を基台１０２外側へ向けた状態）で基台１０２の外面に固着されており、基台１０２内の熱を外部へ放熱させる放熱手段として機能している。本実施例では、折り幅の異なる３つの放熱部材１０５を重ねて基台１０２に固着しているが、これに限定されるものではなく、例えば金属板を基台１０２の外面に対して垂直に倒立させた状態で設けた構成としても良い。
【００１７】
図３に示すように、本考案のトンネル用ＬＥＤ照明器具１００は、起立状態（図３中、二点鎖線で示す状態）と倒伏状態（図３中、実線で示す状態）とに回動可能な一対の脚部１０４ａ，１０４ｂが設けられている。脚部１０４ａ，１０４ｂは、夫々ステイ部材１０６ａ，１０６ｂを介して基台１０２に対して回動可能に取付けられている。尚、図３は、脚部１０４ａ，１０４ｂの起立状態と倒伏状態を説明するため、放熱部材１０５は図示していない。
【００１８】
一対の脚部１０４ａ，１０４ｂは、アルミダイカストあるいはアルミ鋳物をプレス加工によって成型された金属片からなる。脚部１０４ｂは、段部１０４１ｂが形成されており、図３に示すように、倒伏状態で一対の脚部１０４ａ，１０４ｂ同士が互いに干渉しないよう構成されている。また、図３（ｂ）に示すように、放熱部材１０５は、倒伏状態で一対の脚部１０４ａ，１０４ｂが干渉する位置に切欠部１０５１が設けられ、一対の脚部１０４ａ，１０４ｂは、起立状態と倒伏状態に可倒可能な構成とされている。一対の脚部１０４ａ，１０４ｂは、起立状態とした際に床面に当接する脚底部１０４１ａ，１０４１ｂが、照明部１０３の外周より大きく湾曲しており、図４に示すように、脚部１０４ａ，１０４ｂが照明部１０３に干渉することなく、照明部１０３の外周が一対の脚部１０４ａ，１０４ｂの脚底部１０４１ａ，１０４１ｂ間に嵌合され、トンネル用照明器具１００同士を積み重ね可能に構成されている。
【００１９】
ステイ部材１０６ａ，１０６ｂは、一対の脚部１０４ａ，１０４ｂと同材質の金属片で、略コの字状に成型されており、一対の脚部１０４ａ，１０４ｂを夫々回動可能に支持している。ステイ部材１０６ａ，１０６ｂは、夫々の端部が折り曲げられ、回動規制部１０６１ａ，１０６１ｂが設けられており、これに脚部１０４ａ，１０４ｂが当接することで脚部１０４ａ，１０４ｂの回動が規制され、脚部１０４ａ，１０４ｂが起立状態を安定して維持してトンネル用ＬＥＤ照明器具１００が自立可能とされている。
【００２０】
このように構成された本考案のトンネル用ＬＥＤ照明器具１００によれば、個々で自立可能となるので、照明部１０３や基台１０２が床面と当接し擦り傷が付く、又は損傷することを防止することができる。さらにトンネル用照明器具１００同士で積み重ね可能とされているので、トンネル用ＬＥＤ照明器具１００の交換作業の際に、作業スペースを有効に利用することが可能となるばかりでなく、仮置きのための積み重ね作業は元より、複数のトンネル用ＬＥＤ照明器具１００の運搬が容易になる。とくに図４に示すように、トンネル用照明器具１００同士を積み重ねる際には、一対の脚部１０４ａ，１０４ｂを起立状態とし、その上に積み重ねる他のトンネル用照明器具１００を載せるだけで良く、作業性に優れる。
【００２１】
尚、上記構成では、光源がＬＥＤチップ１０３ａである場合を例に説明したが、光源は、これに限定されるものではなく、ＬＥＤチップを搭載したもの以外に、電球や蛍光灯を光源とすることも可能である。また、上記構成では、ステイ部材１０６ａ，１０６ｂと２つの部材から構成しているが、一対の脚部１０４ａ，１０４ｂを起立状態と倒伏状態に回動可能に取付け、かつ回動規制手段を有することができれば、いずれの形態でも良く、例えば、ステイ部材を１つの部材で構成しても良い。
【符号の説明】
【００２２】
１００        トンネル用ＬＥＤ照明器具
１０２        基台
１０３        照明部
１０３ａ      ＬＥＤチップ
１０３ｂ      金属基板
１０３ｃ      蓋体
１０４ａ      脚部
１０４ｂ      脚部
１０４１ａ    脚底部
１０４１ｂ    脚底部
１０５        放熱部材
１０５１      切欠部
１０６ａ      ステイ部材
１０６ｂ      ステイ部材
１０６１ａ    回動規制部
１０６１ｂ    回動規制部
【図１】
0003204490.tif 000003
【図２】
0003204490.tif 000004
【図３】
0003204490.tif 000005
【図４】
0003204490.tif 000006